(57)【特許請求の範囲】
【請求項１】
荷物群の周囲に巻回されるベルト状の帯部材と、その帯部材の両端部同士を着脱自在に連結させる、連結部材とを備えた荷崩れ防止用締め具において、
前記帯部材に取着され、且つ、可撓性及び透視性の両性質を有する材質から成るとともに、種々の情報を表す情報シートを出し入れ自在に形成した、表示ポケットを備えており、
その表示ポケット内に挿入された情報シート記載の情報を、外部からの目視で視認することができ、
前記表示ポケットの端部には、織布材からなる補強部材が両面接着テープを介して貼着され、
前記表示ポケットは、前記補強部材を介して前記帯部材に縫着されており、
前記帯部材は、前記表示ポケットの配設場所の如何を問わず、折り畳み又は丸めることが可能とされていることを特徴とする荷崩れ防止用締め具。
【請求項２】
支柱を有する荷台の該支柱間に張設されるベルト状の帯部材と、その帯部材の両端部同士を前記該支柱間に対して着脱自在に連結させる連結部材とを備えた荷崩れ防止用締め具において、
前記帯部材に取着され、且つ、可撓性及び透視性の両性質を有する材質から成るとともに、種々の情報を表す情報シートを出し入れ自在に形成した、表示ポケットを備えており、
その表示ポケット内に挿入された情報シート記載の情報を、外部からの目視で視認することができ、
前記表示ポケットの端部には、織布材からなる補強部材が両面接着テープを介して取着され、
前記表示ポケットは、前記補強部材を介して前記帯部材に縫着されており、
前記帯部材は、前記表示ポケットの配設場所の如何を問わず、折り畳み又は丸めることが可能とされていることを特徴とする荷崩れ防止用締め具。
【請求項３】
表示ポケットは、裏面に生地を取着することにより予めポケット状に形成されており、帯部材に対して着脱自在に取着する方式とされていることを特徴とする請求項１又は２に記載の荷崩れ防止用締め具。
【発明の詳細な説明】
【０００１】
【発明の属する技術分野】
本発明は、荷物の運送及び保管の際に用いられる、荷崩れ防止用締め具に関する技術である。特に、荷崩れ防止用締め具に表示ポケットを設けることにより、荷崩れ防止用締め具により結束され又は覆い隠される荷物に関する情報を、荷崩れ防止用締め具に表示を可能とした、荷崩れ防止用締め具に関する技術である。
【０００２】
【従来の技術】
様々な場所に積載されて、運送又は保管される荷物の荷崩れ防止には、一般的にベルトを荷物に巻回して荷崩れ防止を図る。しかしながら、荷物の外面には様々な情報が記載され、ベルトを荷物に巻回した際、荷物の外面に記載された情報がベルトに覆い隠されるため、作業者が容易に視認することができない。そのため、ベルトの下に隠れた荷物の情報を視認するためには、逐一、荷物からベルトを取り外して荷物の情報を確認しなければならず、作業効率上煩雑である。
【０００３】
他方、ベルトによって結束される荷物には共通の問題がある。例えば、荷物の保管期間、配達先、配達時刻等の一時的に必要な荷物群（一カ所に集められた２以上の荷物）共通の情報の管理についてである。しかし、これらの荷物群共通の情報管理について、荷物が包装してある場合又は荷物自体が商品を構成する場合、荷物の外観を損なうため、荷物の情報を筆記具で荷物に直接的に記載することはできない。また、かかる荷物群共通の情報を記載した紙片を粘着テープで荷物に貼付することは、粘着テープを剥がす際に荷物の外観を損なうばかりでなく、作業中に紙片が荷物から取れてしまうという欠点がある。
【０００４】
【発明が解決しようとする課題】
本発明は、上述した従来技術の欠点を克服するために成されたものであり、荷崩れ防止用締め具により結束され又は覆い隠される荷物に関する情報を、作業者に対し、外側からの目視で容易に認識させることのできる、荷崩れ防止用締め具を提供することにある。
【０００５】
本発明は上述した課題を解決するための手段として、荷物群の周囲に巻回されるベルト状の帯部材と、その帯部材の両端部同士を着脱自在に連結させる、連結部材とを備えた荷崩れ防止用締め具において、前記帯部材に取着され、且つ、可撓性及び透視性の両性質を有する材質から成るとともに、種々の情報を表す情報シートを出し入れ自在に形成した、表示ポケットを備えており、その表示ポケット内に挿入された情報シート記載の情報を、外部からの目視で視認することができ、前記表示ポケットの端部には、織布材からなる補強部材が両面接着テープを介して貼着され、前記表示ポケットは、前記補強部材を介して前記帯部材に縫着されており、前記帯部材は、前記表示ポケットの配設場所の如何を問わず、折り畳み又は丸めることが可能とされていることを特徴とした。
【０００６】
また、支柱を有する荷台の該支柱間に張設されるベルト状の帯部材と、その帯部材の両端部同士を前記該支柱間に対して着脱自在に連結させる連結部材とを備えた荷崩れ防止用締め具において、前記帯部材に取着され、且つ、可撓性及び透視性の両性質を有する材質から成るとともに、種々の情報を表す情報シートを出し入れ自在に形成した、表示ポケットを備えており、その表示ポケット内に挿入された情報シート記載の情報を、外部からの目視で視認することができ、前記表示ポケットの端部には、織布材からなる補強部材が両面接着テープを介して取着され、前記表示ポケットは、前記補強部材を介して前記帯部材に縫着されており、前記帯部材は、前記表示ポケットの配設場所の如何を問わず、折り畳み又は丸めることが可能とされていることを特徴とした。
【０００７】
更に、表示ポケットは、裏面に生地を取着することにより予めポケット状に形成されており、帯部材に対して着脱自在に取着する方式とされていることを特徴とした。
【０００９】
【発明の実施の形態】
本発明の好ましい実施の形態を添付図面を用いて説明する。
【００１０】
図１は、本発明一実施例である荷崩れ防止用締め具１０の平面図である。この図１に示す荷崩れ防止用締め具２０は、荷台３００（図８参照）の該支柱３０１間に張設される、荷崩れ防止用締め具に関する技術である。
【００１１】
この荷崩れ防止用締め具１０は、支柱３０１を有する荷台３００の該支柱３０１間に張設されるのに最適なように幅広な、シート状の帯部材１１を有しており、この帯部材１１の長手方向の両端部には、該帯部材１１の両端部同士を着脱自在に連結するための、即ち、荷崩れ防止用締め具１０による荷物群１００，…，１００の結束および解除を容易とするための、面ファスナー８０を有するベルト状の第１係着部材１５及び第２係着部材１６が取着されている。このため、各第１係着部材１５毎、及び各第２係着部材１６毎に、夫々支柱３０１を支点に折り返した状態での牽引作業及び面ファスナー８０の係着作業を行うことにより、帯部材１１が支柱３０１に対して強固に連結される。
【００１２】
また、荷崩れ防止用締め具１０には、帯部材１１の支柱３０１に対する張設時に外側となる面に、表示ポケット１２が設けられている。表示ポケット１２は、帯部材１１により巻回される（荷崩れ防止用締め具１０により結束される）荷物群１００，…，１００に関する情報を示す情報シートが出し入れ自在とされている。この情報シートに示す情報としては、例えば、荷物１００の名称や製造元、販売元等の荷物１００の表面に記載され帯部材１１により覆い隠されて見えなくなってしまう情報（記載情報）と、配達先や、発送元、荷物番号、日時（「到着指定日時」や「発送日時」等）、荷物の名称、種類（「生もの」や「危険物」等）、留意点（「割れ物注意」や「上下逆さ禁止」、「要冷蔵」等）、保管期間等の荷物群共通の情報（共通情報）とが挙げられる。勿論、この情報の表示方式は、文字や数字そのもの自体により情報を表す方式、及び、かかる文字や数字等で示される情報を暗号化して（例えば、バーコード等）表す方式の何れの方式であっても良い。
【００１３】
図２及び図３は、図１に示す荷崩れ防止用締め具１０とは別の実施例である荷崩れ防止用締め具２０，３０の平面図である。この図２及び図３に示す荷崩れ防止用締め具２０は、大型な又は重量のある荷物群１００，…，１００の周囲に直に（直接的に）又は支柱３０１を有する荷台（図示せず）の該支柱３０１を介して荷物群（図示せず）の周囲に間接的に巻回される、荷崩れ防止用締め具に関する技術である。なお、荷崩れ防止用締め具２０，３０を説明するに当たり、荷崩れ防止用締め具１０と同一の構成の部分には同一の符号を付してその説明は省略し、異なる部分のみを説明する。
【００１４】
図２に示す荷崩れ防止用締め具２０は、大型な荷物又は重量のある荷物群１００，…，１００であっても十分に結束可能とするための幅広な、シート状の帯部材２１を有している。
【００１５】
この帯部材２１の長手方向の一端部には、荷崩れ防止用締め具１０（帯部材１１）を支柱３０１に対して着脱自在に連結させるための、面ファスナー８０を有するベルト状の第１係着部材１５が各々突出状態に複数取着される一方、他端部には、この第１係着部材１５に各々対応するリング状（鈎状であっても良い）の係止部材２７が複数取着されている。この第１係着部材１５毎に、係止部材２７を支点に折り返した状態での牽引作業及び面ファスナー８０の係着作業を全ての第１係着部材１５に対して行うことにより、幅広なシート状の帯部材１１の両端部が強固に連結される。また、帯部材２１においても、図１に示す帯部材１１の場合と同様に、表示ポケット１２が取着されている。
【００１６】
図３に示す荷崩れ防止用締め具３０は、図２に示す荷崩れ防止用締め具２０と同様に、大型な又は重量のある荷物群１００，…，１００であっても十分に結束するための幅広な、シート状の帯部材３１を有している。この荷崩れ防止用締め具３０においても、荷崩れ防止用締め具２０の場合と同様に、帯部材３１の両端部には、該帯部材３１の両端部同士を着脱自在に連結するための、即ち、荷崩れ防止用締め具３０による荷物群１００，…，１００の結束および解除を容易とするための、面ファスナー８０から成る第３係着部材３５が取着されている。また、帯部材３１においても、図１及び図２に示す帯部材１１，２１の場合と同様に、表示ポケット１２が取着されている。更に、帯部材３１中間部には、帯部材３１を荷物群１００，…，１００の周囲に巻回するとともに、該巻回した帯部材３１の両端部同士を第３係着部材３５により連結した際に、荷物群１００，…，１００に適度な締め付け力を与えるための伸縮性部材３２が配設されている。
【００１７】
図４は、図２及び図３に示した荷崩れ防止用締め具２０，３０と同様に、荷物群１００，…，１００の周囲に直接的又は間接的に巻回して荷崩れを防止するための技術（型式、タイプ）の、荷崩れ防止用締め具４０である。図４に示す荷崩れ防止用締め具４０は、小型な荷物をも巻回可能とするために、帯部材２０，３０に比して幅細な、ベルト状の帯部材４１を有している。この帯部材４１の一端部には面ファスナー８０が適宜の間隔を空けて設けられており、他端部に設けられた係止部材２７を介しての牽引、係着作業は、荷崩れ防止用締め具１０と同様である。
【００１８】
また、荷崩れ防止用締め具２０，３０と同様に、表示ポケット１２が取着されているが、この表示ポケット１２は、帯部材４１に対して横向きに取着されている点で荷崩れ防止用締め具２０，３０とは異なる。
【００１９】
図１から図４までに記載の荷崩れ防止用締め具１０、２０、３０、４０の長さ方向の端部は、図面に記載された形状に限定されるものでなく、荷物群１００，…，１００の周囲に直接的又は間接的に巻回されるための形状及び、荷台３００の支柱３０１間に張設するための様々な形状が用意される。また、荷崩れ防止用締め具１０，２０，４０は、帯部材１１，２１，３１，４１又は第１係着部材１５，２５もしくは第２係着部材２６もしくは第３係着部材３５自体の全部又は一部が伸縮性のものであっても良いし、荷崩れ防止用締め具３０は、帯部材３１の何れの箇所に伸縮性部材３２が配設されていても良い。更には、帯部材１１の支柱３０１に対する連結方式、及び、帯部材２１，３１，４１の両端部同士の連結方式は、上記したような面ファスナー相互の係着によるものに限られず、ボタン式やバックル式等、如何なる方式のものであっても良い。
【００２０】
図５は、図１、２、３記載の荷崩れ防止用締め具１０，２０，３０の帯部材１１，２１，３１取着される、表示ポケット１２の取着状態を示す図であり、図６は、表示ポケット１２を帯部材１１に縫着する（縫いつける）前の図である。各図において示される表示ポケット１２は可撓性（柔軟性を含む。）及び透明性（半透明の意味も含む。）を有するビニール等を利用する。尚、荷崩れ防止用締め具１０，２０，３０の何れの場合においても同様であるから、発明の理解を容易とするために、荷崩れ防止用締め具１０の場合について説明する。
【００２１】
表示ポケット１２の端部には織布材からなる補強部材１３が貼着され、表示ポケット１２は、この補強部材１３を介して帯部材１１に縫着される。従って、表示ポケット１２を帯部材１１に縫着する場合にも、縫い糸が直接に表示ポケット１２を押さえることが無いため、強い力で縫着することができる一方、縫い糸が細い場合においても、表示ポケット１２の縫着部分を損傷することが無い。更には、縫着後においても、縫い目がミシン目となって、表示ポケット１２が帯部材１１から剥離してしまうことを防止する。これは、表示ポケット１２が透明性及び可撓性の両性質を有する材質から成る場合、表示ポケット１２を直接に帯部材１１に縫着すると、縫い目がミシン目となって経時的に剥離してしまうことが多々発生ことに起因している。
【００２２】
表示ポケット１２を帯部材１１に縫着する際は、帯部材１１により巻回される荷物群１００，…，１００の情報の記載された情報シートを挿入するための挿入口を設けるために、表示ポケット１２の一部分は帯部材１１に縫着されていない。即ち、かかる情報シートを表示ポケット１２から出し入れ自在とすることができ、常に、荷崩れ防止用締め具１０により結束される荷物１００の如何に応じた情報を示す情報シートを、表示ポケット１２に挿入しておける。
【００２３】
更には、表示ポケット１２は前記した通り可撓性を有しているので、非使用時等に荷崩れ防止用締め具１０を折り畳んだり、丸めたりする際に、表示ポケット１２が邪魔となってしまうことがない。言い換えれば、表示ポケット１２の存在を気にすることなく、荷崩れ防止用締め具１０をコンパクト（小さくまとまった状態）とすることができ、保管スペースに助かる。
【００２４】
尚、挿入口の設け方として、表示ポケット１２の周辺端部を全て帯部材１１に縫着し、表示ポケット１２に切り込みを入れて、情報シートを挿入するための挿入口を設けてもよい。また、表示ポケット１２の帯部材１１への取着方式は、補強部材１３を介した縫着に限られず、接着又は溶着等により帯部材１１に対して直接に取着しても良い。
【００２５】
図６に示すように、帯部材１１に縫着される表示ポケット１２には、表示ポケット１２と補強部材１３の位置ズレを防止するため、両面接着テープ１４を介して補強部材１３を表示ポケット１２に貼着するとよい。このため、表示ポケット１２を帯部材１１に縫着する際に、補強部材１３の位置ズレを防止することができることは勿論のこと、縫着後においても、補強部材１３がめくれて表示ポケット１２より剥離することが防止できる。ひいては、表示ポケット１２自体の帯部材１１からの剥離も防止できるのである。
【００２７】
【発明の効果】
図７、図８、図９を用いて本発明を実施した場合の効果について説明する。
【００２８】
図７は荷崩れ防止用締め具２０，３０を荷物に巻回した使用状態を示す図である。荷台２００の上に大型の荷物群１００，…，１００が積まれているが、幅広の荷崩れ防止用締め具２０，３０により巻回されているため、荷台２００ごと荷物群１００，…，１００を移動しても荷崩れを起こすことはない。ここで、幅広な荷崩れ防止用締め具２０，３０により荷物群１００，…，１００が結束されるため、各荷物１００の表面に記載される種々の情報（記載情報）が覆い隠されてしまい、作業者が外部からの目視で認識することができないという問題が生ずるが、かかる荷物１００の表面情報の記載された情報シートを、荷崩れ防止用締め具２０．３０に設けられた表示ポケット１２に挿入すれば、作業者は、かかる情報シートを取り出すことなく（手にすることなく）荷物１００に関する情報を外部からの目視のみで容易に認識することができるため上記の問題は解決された。
【００２９】
また荷崩れ防止用締め具２０，３０により結束される荷物群１００，…，１００共通の情報があるが、この共通情報の記載された情報シートを、荷崩れ防止用締め具２０．３０に設けられた表示ポケット１２に挿入すれば、作業者は荷物１００の情報を外部から容易に認識することができるばかりでなく、荷物１００に共通情報を直接書き込んだり、共通情報を示す情報シートを粘着テープで貼付しなくてもよくなり、荷物１００の美観（ひいては、商品価値）が損なわれることが防止された。
【００３０】
更に、従来においては、荷物１００の表面に記載の情報が作業者に認識しやすい位置方向に、荷物１００を積む等の注意を払いながら荷物の積載を行っていたが、本発明により、荷物積載時にこのような注意は払う必要がなくなり、短時間での荷物１００の積載が可能となった。
【００３１】
図８は、荷崩れ防止用締め具１０を支柱３０１を有する荷台３００の該支柱３０１間に張設した使用状態を示す図である。図９に示すように、荷台３００の支柱３０１間は荷崩れ防止のため格子状になっており、より外部からの荷物１００の情報の認識が困難である上、荷崩れ防止用締め具１０を支柱３０１間に張設されると、より一層、外部からの荷物の情報の認識を困難とさせる。しかし、本発明である荷崩れ防止用締め具１０によれば、種々の情報を示す情報カードを出し入れ自在な表示ポケット１２が取着されているので、外部から視認しにくい各荷物１００の表面に記載の情報を作業者に対して報知することができ、上記の問題は解決された。
【００３２】
図９は、比較的小型な荷物１００を結束するための幅細な、荷崩れ防止用締め具４０の使用状態を示す図である。図９に示す荷崩れ防止用締め具４０によれば、帯部材４１が幅細なため、表示ポケット１２を横向きに設けることにより、荷崩れ防止用締め具４０（帯部材４１）が幅細であっても、表示ポケット１２に挿入する情報シートの記載容量を十分に確保できた。
【００３３】
更に、図８及び図９に示す荷崩れ防止用締め具１０，４０の何れにおいても、共通情報を示す情報シートを表示ポケット１２に挿入することにより、上記締め具２０，３０と同様な効果を奏することは上記の説明からいうまでもない。
【００３４】
以上、実施例に基づき本発明を説明したが、本発明は上述した実施例に何ら限定されるものではなく、本発明の主旨から逸脱しない範囲内で種々の改良変形が可能であることは容易に推測することができるものである。
【００３５】
例えば、上記実施例においては、表示ポケット１２の素材が透明性を有する材質により構成されることにより、即ち、表示ポケット１２全体が透明（半透明）とされていることにより、表示ポケット１２全体が透視可能とされている。しかしながら、表示ポケット１２を透視可能とする方式は、素材自体を透明性とする方式に限られず、例えば、表示ポケット１２をメッシュ（網）状に（例えば、所謂「網戸」の網のように）形成する方式としても良い。このように構成すれば、補強部材１３により、メッシュ状とされた表示ポケット（図示せず）と帯部材１１との接触面積を向上させて取着強度を高めることができることは勿論のこと、メッシュ状の表示ポケットを帯部材１１に縫着した際の美観を向上させることができ、更には、両面接着テープ１４により、補強部材１３と表示ポケットとの剥離を防止できるのである。
【００３６】
また、本実施例によれば、表示ポケット１２を帯部材１１，２１，３１，４１に取着することにより初めてポケット状となる方式とされているが、必ずしも、この方式に限られず、予め表示ポケット１２の裏面側に生地をあてがって取着することによりポケット状に形成しておき、この予めポケット状に形成された表示ポケット（図示せず）を面ファスナーやボタン等を用いて帯部材１１，２１，３１，４１に対し着脱自在に取着する方式としても良い。この方式によれば、例えば、帯部材の幅が短いために表示ポケット１２を取り付けても情報シートの出し入れが困難な場合や、情報シートに記載の情報量が多い場合）においても、帯部材からはみ出した状態に表示ポケット１２を取着することができるのである。更には、手の汚れた作業者が直接に情報シートを操作することが回避でき、情報シートに記載された情報が常にきれいに保持可能とされる（特に、同じ情報シートを繰り返し使用する場合に効果的である）。勿論、少なくとも、表面側の表示ポケット１２のみが透視性を有していれば良いし、予めポケット状の表示ポケットの取着方式は、かかる着脱自在に取着する方式に限られない。即ち、着脱自在に取着した場合又は固着した場合の何れにおいても、帯部材の幅の如何によらず、多くの情報を表す情報シートが挿入可能となるからである。
【００３７】
本発明には、以下の発明が含まれる。
荷物群の周囲に巻回されるベルト状の帯部材と、その帯部材の両端部同士を着脱自在に連結させる、連結部材とを備えた荷崩れ防止用締め具において、前記帯部材には、可撓性を有し、且つ、種々の情報を表す情報シートを出し入れ自在に形成した、表示ポケットが取着されており、その表示ポケット配設箇所の如何によらず、前記帯部材を折り畳み又は丸めることが可能とされていることと特徴とする荷崩れ防止用締め具（Ａ）。
【００３８】
支柱を有する荷台の該支柱間に張設されるベルト状の帯部材と、その帯部材の両端部同士を前記該支柱間に対して着脱自在に連結させる連結部材とを備えた荷崩れ防止用締め具の何れかの荷崩れ防止用締め具において、前記帯部材には、可撓性を有し、且つ、種々の情報を表す情報シートを出し入れ自在に形成した、表示ポケットが取着されており、その表示ポケット配設箇所の如何によらず、前記帯部材を折り畳み又は丸めることが可能とされていることと特徴とする荷崩れ防止用締め具（Ｂ）。
【００３９】
尚、特許請求の範囲の文言の解釈について疑義が生じないように念のために説明すれば、「ベルト状の帯部材」は、帯部材の幅の広さの如何を問うものではなく、この「ベルト状の帯部材」の意味には、例えば、図４に示すような幅細なタイプの帯部材４１を包含することは勿論のこと、図１から図３までに示すような幅広なタイプの帯部材１１，２１，３１をも包含する。
【図面の簡単な説明】
【図１】本発明の荷崩れ防止用締め具１０の平面図である。
【図２】本発明の荷崩れ防止用締め具２０の平面図である。
【図３】本発明の荷崩れ防止用締め具３０の平面図である。
【図４】本発明の荷崩れ防止用締め具４０の平面図である。
【図５】表示ポケット１２の取着状態を示す平面図である。
【図６】表示ポケットの斜視図である。
【図７】本発明の荷崩れ防止用締め具の使用状態を示す斜視図である。
【図８】本発明の荷崩れ防止用締め具の使用状態を示す斜視図である。
【図９】本発明の荷崩れ防止用締め具の使用状態を示す斜視図である。
【符号の説明】
１０    荷崩れ防止用締め具
１１    帯部材
１２    表示ポケット
１３    補強部材
１４    両面接着テープ
１５    第１係着部材（連結部材の一部）
１６    第２係着部材（連結部材の一部）
２０    荷崩れ防止用締め具
２１    帯部材
２７    係止部材（連結部材の一部）
３０    荷崩れ防止用締め具
３１    帯部材
３２    伸縮性部材
３５    第３係着部材（連結部材の一部）
４０    荷崩れ防止用締め具
４１    帯部材
８０    面ファスナー
１００  荷物
２００  荷台
３００  荷台
３０１  支柱
【図１】
0003588774.tif 000002
【図２】
0003588774.tif 000003
【図３】
0003588774.tif 000004
【図４】
0003588774.tif 000005
【図５】
0003588774.tif 000006
【図６】
0003588774.tif 000007
【図７】
0003588774.tif 000008
【図８】
0003588774.tif 000009
【図９】
0003588774.tif 000010